(57)【要約】【課題】  障子の閉鎖とロックを１アクションで行え、ロックが正確に行えると共に、障子等に無理な力が加わるのを防止できる窓の提供。【解決手段】  窓枠２，１１，１３，１４にアーム３により開閉自在に支持した障子１と、窓枠１３に沿ってスライド可能に設けたスライド部４９と、障子を開閉操作するための操作部１６とを備え、スライド部４９は、アーム３と連携するものであると共に障子に設けたロック受け３６に係脱するロック部材４８を有し、操作部１６を障子閉鎖側に操作したときに、障子が閉め切るまではアーム３を障子閉鎖側に作動し、障子が閉め切られた状態でアーム３との連動が解除されると共に、さらに操作部１６を障子閉鎖側に操作したときにロック部材４８が窓枠に沿ってスライドして障子のロック受け３６と係合し障子１がロックされる。【選択図】      図７
2010270587.tif 000002
【特許請求の範囲】
【請求項１】
窓枠にアームにより開閉自在に支持した障子と、窓枠に沿ってスライド可能に設けたスライド部と、障子を開閉操作するための操作部とを備え、スライド部は、アームと連携するものであると共に障子に設けたロック受けに係脱するロック部材を有し、操作部を障子閉鎖側に操作したときに、障子が閉め切るまではアームを障子閉鎖側に作動し、障子が閉め切られた状態でアームとの連動が解除されると共に、さらに操作部を障子閉鎖側に操作したときにロック部材が窓枠に沿ってスライドして障子のロック受けと係合し障子がロックされることを特徴とする窓。
【請求項２】
障子は、一端を障子に回動自在に連結し他端を窓枠に沿ってスライド自在且つ回動自在に連結したアームで窓枠と連結してあり、窓枠は、内周側にアームの他端を障子閉鎖側に移動させる障子閉鎖部材を有し、障子閉鎖部材とスライド部とが連動部材で連結してあり、スライド部は、窓枠に沿ってスライド可能に設けたスライドバーと、スライドバーに設けたロック部材とを有し、スライドバーは連動部材に対して窓枠の長手方向にスライド可能に設けてあり、操作部を障子閉鎖側に操作したときに、障子が閉め切るまではスライドバーの連動部材に対するスライドが規制されており障子閉鎖部材とスライドバーとが同時にスライドし、障子が閉め切った状態で障子閉鎖部材の移動が阻止されると共にスライドバーの連動部材に対するスライドの規制が解除されてスライドバーのみがさらにスライドし、スライドバーに設けたロック部材が障子のロック受けと係合して障子がロックされることを特徴とする請求項１記載の窓。
【請求項３】
スライドバーは係合部を有し、連動部材は、係合部が係合する窓枠長手方向の長孔と、係合部が長孔内を移動するのを規制する規制部材とを有し、窓枠は、障子閉鎖部材が障子を閉め切る位置まで移動したときに規制部材に当接してその規制を解除する解除部材を有することを特徴とする請求項２記載の窓。
【請求項４】
窓枠は、障子閉鎖部材が障子を閉め切る位置まで移動したときに連動部材に当接して連動部材の移動を阻止するストッパーをさらに有することを特徴とする請求項２又は３記載の窓。
【請求項５】
窓枠にアームにより開閉自在に支持した障子と、窓枠に沿ってスライド可能に設けたスライド部と、障子を開閉するための操作部とを備え、窓枠は、内周側にアームと係合自在な障子閉鎖部材を有し、障子閉鎖部材は、操作部の操作によりスライド部と連動して窓枠に沿ってスライドするものであり、スライド部は、障子のロック受けに係脱するロック部材を有し、操作部を障子閉鎖側に操作したときに、障子が閉め切るまでは障子閉鎖部材がアームを障子閉鎖側に押動し、障子が閉め切られた状態で障子閉鎖部材によるアームの障子閉鎖側への押動が停止し、さらに操作部を障子閉鎖側に操作したときにロック部材が窓枠に沿ってスライドして障子のロック受けと係合し障子がロックされることを特徴とする窓。
【請求項６】
操作部の操作に連動して窓枠に沿ってスライドする障子固定部材を有し、操作部を障子開放側に操作したときに、障子閉鎖部材によるアームの障子閉鎖位置での規制が解除され、さらに操作部を障子開放側に操作することで障子固定部材がアームを障子開放位置に保持することを特徴とする請求項５記載の窓。
【発明の詳細な説明】
【技術分野】
【０００１】
本発明は、障子の閉鎖とロックを１アクションで行う窓に関する。
【背景技術】
【０００２】
特許文献１には、風圧により自然に開閉する障子の開閉操作と閉鎖時の障子のロックを行う機構として、オペレーター２１と、オペレーター２１とワイヤー２２により連結され、下枠（無目）の長手方向に沿ってスライド自在に設けたスライド杆２２１と、スライド杆２２１に固定したスライドプレート２２２及びスライドフック２５と、スライドプレート２２２と障子の下框間に屈曲状に設けた引寄せアーム２４とを備え、オペレーター２１を障子閉鎖側に操作すると、ワイヤー２２を介してスライド杆２２がスライドプレート２２２及びスライドフック２５と共にオペレーター２１側に引寄せられ、それに伴ってスライドプレート２２２により引寄せアーム２４が室内側に強制回動されて障子が引き寄せられると共に、スライドフック２５が障子下框に設けたロックピン２５１に係合して障子がロックされるようにしたものが記載されている。
上記の機構では、障子が閉まり切るのと同時にロックが掛かるようにしており、ロックが掛かる直前では障子が完全に閉め切っていないため、障子が強風に煽られてばたついたりするとロックが正確に掛からないおそれがある。これを避けるために、障子が閉め切ってからロックが掛かるようにしようとすると、障子が必要以上に枠に押し付けられることとなり、障子やその支持機構、開閉機構等に無理な力が加わり、破損の原因になる。また、障子の下框と下枠間に引寄せアームが設置してあるため、引寄せアームが目障りである。
【先行技術文献】
【特許文献】
【０００３】
【特許文献１】特開２００８−３０８９３０号公報
【発明の概要】
【発明が解決しようとする課題】
【０００４】
本発明は以上に述べた実情に鑑み、障子の閉鎖とロックを１アクションで行え、ロックが正確に行えると共に、障子等に無理な力が加わるのを防止できる窓の提供を目的とする。
【課題を解決するための手段】
【０００５】
上記の課題を達成するために請求項１記載の発明による窓は、窓枠にアームにより開閉自在に支持した障子と、窓枠に沿ってスライド可能に設けたスライド部と、障子を開閉操作するための操作部とを備え、スライド部は、アームと連携するものであると共に障子に設けたロック受けに係脱するロック部材を有し、操作部を障子閉鎖側に操作したときに、障子が閉め切るまではアームを障子閉鎖側に作動し、障子が閉め切られた状態でアームとの連動が解除されると共に、さらに操作部を障子閉鎖側に操作したときにロック部材が窓枠に沿ってスライドして障子のロック受けと係合し障子がロックされることを特徴とする。
【０００６】
請求項２記載の発明による窓は、請求項１記載の発明の構成に加え、障子は、一端を障子に回動自在に連結し他端を窓枠に沿ってスライド自在且つ回動自在に連結したアームで窓枠と連結してあり、窓枠は、内周側にアームの他端を障子閉鎖側に移動させる障子閉鎖部材を有し、障子閉鎖部材とスライド部とが連動部材で連結してあり、スライド部は、窓枠に沿ってスライド可能に設けたスライドバーと、スライドバーに設けたロック部材とを有し、スライドバーは連動部材に対して窓枠の長手方向にスライド可能に設けてあり、操作部を障子閉鎖側に操作したときに、障子が閉め切るまではスライドバーの連動部材に対するスライドが規制されており障子閉鎖部材とスライドバーとが同時にスライドし、障子が閉め切った状態で障子閉鎖部材の移動が阻止されると共にスライドバーの連動部材に対するスライドの規制が解除されてスライドバーのみがさらにスライドし、スライドバーに設けたロック部材が障子のロック受けと係合して障子がロックされることを特徴とする。
【０００７】
請求項３記載の発明による窓は、請求項２記載の発明の構成に加え、スライドバーは係合部を有し、連動部材は、係合部が係合する窓枠長手方向の長孔と、係合部が長孔内を移動するのを規制する規制部材とを有し、窓枠は、障子閉鎖部材が障子を閉め切る位置まで移動したときに規制部材に当接してその規制を解除する解除部材を有することを特徴とする。
【０００８】
請求項４記載の発明による窓は、請求項２又は３記載の発明の構成に加え、窓枠は、障子閉鎖部材が障子を閉め切る位置まで移動したときに連動部材に当接して連動部材の移動を阻止するストッパーをさらに有することを特徴とする。
【０００９】
請求項５記載の発明による窓は、窓枠にアームにより開閉自在に支持した障子と、窓枠に沿ってスライド可能に設けたスライド部と、障子を開閉するための操作部とを備え、窓枠は、内周側にアームと係合自在な障子閉鎖部材を有し、障子閉鎖部材は、操作部の操作によりスライド部と連動して窓枠に沿ってスライドするものであり、スライド部は、障子のロック受けに係脱するロック部材を有し、操作部を障子閉鎖側に操作したときに、障子が閉め切るまでは障子閉鎖部材がアームを障子閉鎖側に押動し、障子が閉め切られた状態で障子閉鎖部材によるアームの障子閉鎖側への押動が停止し、さらに操作部を障子閉鎖側に操作したときにロック部材が窓枠に沿ってスライドして障子のロック受けと係合し障子がロックされることを特徴とする。
【００１０】
請求項６記載の発明による窓は、請求項５記載の発明の構成に加え、操作部の操作に連動して窓枠に沿ってスライドする障子固定部材を有し、操作部を障子開放側に操作したときに、障子閉鎖部材によるアームの障子閉鎖位置での規制が解除され、さらに操作部を障子開放側に操作することで障子固定部材がアームを障子開放位置に保持することを特徴とする。
【発明の効果】
【００１１】
請求項１記載の発明による窓は、操作部を障子閉鎖側に操作したときに、障子が閉め切るまではアームを障子閉鎖側に作動し、障子が閉め切られた状態でアームとの連動が解除されると共に、さらに操作部を障子閉鎖側に操作したときにロック部材が窓枠に沿ってスライドして障子のロック受けと係合し障子がロックされるようにしたので、障子の閉鎖及びロックを１アクションで行えると共に障子のロックが安定して行え、尚且つ障子等に無理な力が加わるのを防止できる。
【００１２】
請求項２記載の発明による窓は、スライド部と障子閉鎖部材とが連動部材で連結してあると共に、ロック部材が設けられたスライドバーが連動部材に対して窓枠の長手方向にスライド可能に設けてあり、操作部を障子閉鎖側に操作したときに、障子が閉め切るまではスライドバーの連動部材に対するスライドが規制されており障子閉鎖部材とスライドバーとが同時にスライドし、障子が閉め切った状態で障子閉鎖部材の移動が阻止されると共にスライドバーの連動部材に対するスライドの規制が解除されてスライドバーのみがさらにスライドし、スライドバーに設けたロック部材が障子のロック受けと係合して障子がロックされるようにしたので、障子の閉鎖及びロックを１アクションで行えると共に障子のロックが安定して行え、尚且つ障子等に無理な力が加わるのを防止できる。また、障子閉鎖部材によりアームの他端を移動させて障子を閉鎖するようにしたので、障子の戸先側の框と窓枠間に障子を引寄せるアームが不要で、しかも障子の開き具合がいかなる状態にあるときでも障子を閉鎖できる。
【００１３】
さらに請求項３記載の発明による窓は、スライド部がスライドする過程で、窓枠に設けた解除部材に規制部材が当接することでその規制を自動的に解除し、係合部が長孔内を移動することで障子閉鎖部材を停止したままスライドバーをスライドさせられ、簡潔な構成により障子の閉鎖とロックを安定して正確に行える。障子を開放するときは、スライド部を逆方向にスライドさせることで、ロックの解除と障子の開放を１アクションで行える。
【００１４】
さらに請求項４記載の発明による窓は、スライド部がスライドする過程で、窓枠に設けたストッパーに連動部材が当接することで、障子閉鎖部材を障子が閉め切ったところで正確に停止できる。
【００１５】
請求項５記載の発明による窓は、操作部を障子閉鎖側に操作したときに、障子が閉め切るまでは障子閉鎖部材がアームを障子閉鎖側に押動し、障子が閉め切られた状態で障子閉鎖部材によるアームの障子閉鎖側への押動が停止し、さらに操作部を障子閉鎖側に操作したときにロック部材が窓枠に沿ってスライドして障子のロック受けと係合し障子がロックされるようにしたので、障子の閉鎖及びロックを１アクションで行えると共にロックが安定して行え、尚且つ障子やアーム等に無理な力が加わるのを防止できる。障子の閉鎖とロックに時間差を設けるのに障子閉鎖部材とロック部材間にスライドのストロークを吸収する機構を設ける必要がないので、スライド部の機構を単純化できる。
【００１６】
請求項６記載の発明による窓は、操作部の操作に連動して窓枠に沿ってスライドする障子固定部材を有し、操作部を障子開放側に操作したときに、障子閉鎖部材によるアームの障子閉鎖位置での規制が解除され、さらに操作部を障子開放側に操作することで障子固定部材がアームを障子開放位置に保持するので、火災時の排煙等のために操作部を操作して障子を強制的に開放保持できる。
【図面の簡単な説明】
【００１７】
【図１】自然換気窓の縦断面図であって、障子が全開した状態を示す。
【図２】自然換気窓の縦断面図であって、障子が閉鎖した状態を示す。
【図３】（ａ）は障子と竪枠との連結部を室内側から見た図であり、（ｂ）はＡ−Ａ断面図、（ｃ）はＢ−Ｂ断面図、（ｄ）はＣ−Ｃ断面図である。
【図４】障子開閉・ロック機構の室内側正面図である。
【図５】図４のＸ方向矢視図であって、（ａ）は障子を閉鎖しロックした状態、（ｂ）は障子が全開したときの状態を示す。
【図６】図４のＹ方向矢視図であって、（ａ）は障子を閉鎖しロックした状態、（ｂ）は障子が全開したときの状態を示す。
【図７】障子を閉鎖しロックするときの障子開閉・ロック機構の動きを順に示す平面図である。
【図８】本発明の窓の第１実施形態を示す窓全体の室内側正面図である。
【図９】メインアームとサブアームの設置状態を模式的に示す図である。
【図１０】メインアームとサブアームの設置状態の他の例を模式的に示す図である。
【図１１】本発明の窓の第２実施形態を示す室内側正面図である。
【図１２】図１１のＡ−Ａ位置での縦断面図であって、障子が開放した状態（自然換気状態）を示す。
【図１３】図１１のＡ−Ａ位置での縦断面図であって、障子が閉鎖した状態を示す。
【図１４】図１１のＡ−Ａ位置での縦断面図であって、障子を開放・保持した状態を示す。
【図１５】（ａ）は図１２のＣ−Ｃ断面図、（ｂ）は図１２のＤ−Ｄ断面図である。
【図１６】図１１のＢ−Ｂ位置での横断面図であって、（ａ）は障子が開いた状態、（ｂ）は障子が閉鎖しロックが掛かる前の状態、（ｃ）は障子が閉鎖しロックが掛かった状態を示す。
【図１７】障子を閉鎖するときのアームの動きを順に示す縦断面図である。
【図１８】障子を開放するときのアームの動きを順に示す縦断面図である。
【図１９】本発明の窓の他の実施形態（外倒し窓）を示す縦断面図である。
【図２０】本発明の窓の他の実施形態（縦軸回転窓）を示す横断面図である。
【発明を実施するための形態】
【００１８】
以下、本発明の実施の形態を図面に基づいて説明する。図８は、本発明の窓の第１実施形態を示す室内側正面図である。この窓はビル用の窓であって、上枠１１と下枠１２と左右の竪枠２，２を枠組みして窓枠が構成され、左右の竪枠２，２間に無目１３を架設し、上枠１１と無目１３間に方立１４を架設してあり、無目１３と下枠１２間の開口部にはガラスパネル１５を嵌め込んで嵌め殺し窓が構成してあり、上枠１１と無目１３間の開口部には、障子１が室外側に開く自然換気窓が連窓状に設けてある。室内側から見て右側の竪枠２の下部には、障子１の開閉操作を行うハンドル１６を設けてある。なお、以後、単に「右側」、「左側」と記載したときには、室内側から見ての右側、左側の意味である。
【００１９】
図１は障子１が全開したときの状態を示し、図２は障子１を閉鎖した状態を示している。また図３は、障子１の竪枠２への支持構造を示している。障子１は、上框１７と下框１８と左右の竪框１９，１９とを四周框組みし、その内側にガラスパネル２０を嵌め込んで構成してある。上框１７の内部の室内側寄りの位置には、図１，２に示すように、バランスウエイト２１が取付けてあり、これにより障子１の上下・前後方向のバランスを取り、回転軸５と重心の位置を一致させている。回転軸５は、障子１の上下方向の中心に近いところに設けてある。竪框１９の上端部には、図３（ａ），（ｂ）に示すように、水平軸２３が側方に突出して設けてあり、水平軸２３の先端部にはベアリング２４が取付けてあり、ベアリング２４は竪枠２の内周側見込み面の上部に上下方向に設けたレール２５に案内され、上下動自在且つ回動自在となっている。回転軸５には、メインアーム３の一端が回動自在に連結してある。竪枠２の内周側見込み面の下部にはレール２６が上下方向に設けてあり、レール２６にはスライダー２２が上下動自在に案内保持され、スライダー２２にメインアーム３の他端が水平軸２７で回動自在に連結してある。メインアーム３の長手方向の中央には、メインアーム３の半分の長さのサブアーム４の一端が水平軸２８で回動自在に連結され、サブアーム４の他端は竪枠２の内周側見込み面の、障子１の回転軸５と同じ高さ位置に突設した水平軸２９に回動自在に連結してある。なお、図３は障子１の右側の支持構造を示しているが、左側も同様に方立１４又は竪枠２に支持されている。
【００２０】
風が無く障子１に荷重が掛からない状態のときには、図１に示すように、障子１が４５°開放した状態で静止するようにバランスが取られている。障子１に向かい風を受けると、図２に示すように、障子１上部に取付けたベアリング２４がレール２５に沿って上方にスライドすると共に、メインアーム３の他端に連結したスライダー２２がレール２６に沿って下方にスライドし、それに伴い障子１は重心位置に設けた回転軸５を支点に回転して閉まる。風がおさまると、障子１上部のベアリング２４が下方に、メインアーム３他端に連結したスライダー２２が上方にスライドし、障子１は回転軸５を支点に回転して開き、図１に示す状態に戻る。障子１が開閉する際、障子１の回転軸５（＝重心）は図２中に仮想線３０で示すように水平に移動する。すなわち、開閉時に障子１の重心が上下に移動しない。
【００２１】
この点について、図９の模式図を参照して説明する。サブアーム４はメインアーム３の半分の長さで、サブアーム４の一端をメインアーム３の長手方向の中央に連結し、サブアーム４の他端をメインアーム３の一端と同じ高さ位置に取付けたことで、メインアーム３とサブアーム４の他端とで構成される△ＡＣＤは、初期状態では直角三角形となっている。サブアーム４の他端の位置Ｄは固定で、メインアーム３の他端の位置Ｃは上下に移動自在である。メインアーム３とサブアーム４では、２つの二等辺三角形が出来る（△ＡＢＤ、△ＢＣＤ）。その２つの二等辺三角形の頂角θ１，θ２は、任意の角度においてθ１＋θ２＝１８０°の関係にあり、従って常に各二等辺三角形の底角θ３，θ４は、θ３＋θ４＝９０°の関係にある。よって△ＡＣＤは常に直角三角形であり、回転軸５（メインアームの一端Ａ）は水平移動しかしないことが分かる。
【００２２】
以上に述べたように本自然換気窓は、回転軸５を障子１の重心の位置と一致させており、尚且つ開閉時に回転軸５が上下に移動せず、水平移動しかしないため、開き方向、閉まり方向の何れにも障子１が軽く動き、風に対する反応が良好となる。また、サブアーム４他端の位置（水平軸２９）を固定とし、その位置に対して障子１上部（水平軸２３）とメインアーム３の他端（水平軸２７）が対照的に上下にスライドして障子１が開閉するようにしたこと、及び障子１の重心の移動を考慮する必要がないことから、障子１の開き角度を容易に設定することができ、排煙窓として使用可能な４５°までの開放を実現している。
【００２３】
図１０は、メインアーム３とサブアーム４の設置状態の他の例を示している。図１０（ａ）は、サブアーム４をメインアーム３の半分よりも短い長さとし、メインアーム３のサブアーム４の連結位置Ｂ点からメインアーム３の他端Ｃ点の長さＢＣをサブアーム４の長さＢＤと同一にしたものである。この場合、障子１の回転軸５となるメインアーム３の一端の位置は、障子１が閉じたときの位置Ａ‘点よりも障子１が開いたときの位置Ａ点の方が低い位置となるため、障子１を開きやすくすることができる。
図１０（ｂ）は、サブアーム４をメインアーム３の半分よりも長い長さとし、メインアーム３のサブアーム４の連結位置Ｂ点からメインアーム３の他端Ｃ点の長さＢＣをサブアーム４の長さＢＤと同一にしたものである。この場合、障子１の回転軸５となるメインアーム３の一端の位置は、障子１が開いたときの位置Ａ点よりも障子１が閉じたときの位置Ａ‘点の方が低い位置となるため、障子１を閉まりやすくすることができる。
何れの場合でも、障子１の回転軸５の位置（Ａ点）の位置を障子１の重心位置に一致させることで、障子１の動きを軽くすることができる。また、ＢＣ＝ＢＤとしてあることで、Ｃ点とＤ点への力の向きが正反対となり、メインアーム３の他端Ｃ点のスライド部分がスムーズに動く。
【００２４】
本自然換気窓は、ハンドル１６の操作により障子１の開閉と閉鎖時のロックを行う機構を備えており、以下、その構造について説明する。図８に示すように、右側の竪枠２内周側面には縦スライドバー３１が、無目１３上面にはスライド部４９がそれぞれ長手方向にスライド自在に設けてある。スライド部４９は、図１，２に示すように、無目１３上面に長手方向にスライド可能に取付けた横スライドバー３２を有し、図８に示すように、縦スライドバー３１の上端部と横スライドバー３２の右側端部とが、竪枠２と無目１３とのコーナー部に設けたコーナードライブ３３により連結してある。コーナードライブ３３の構造については後述するが、押し引き力を直角に伝達するものである。ハンドル１６の軸にはギア３４が、縦スライドバー３１にはギア３４と噛み合うラック３５がそれぞれ連結してあって、ハンドル１６は障子１を開くときには下向きに、障子１を閉鎖するときには上向きに回転させるものであり、ハンドル１６を閉鎖側に回転させたときには、図中に矢印で示すように、縦スライドバー３１は下方にスライドし、横スライドバー３２はそれに引っ張られて右にスライドする。
【００２５】
図４〜６に示すように、横スライドバー３２上には障子１の下框１８に設けたロック受け３６に係脱するロックピン４８が取付けてある。横スライドバー３２の先端部にはピン３７が上方に突出して設けてあり、左右方向の長孔３８にピン３７を係合して連結プレート３９が設けてある。連結プレート３９には、ピンストッパー４０がバネ４１で付勢して設けてあり、図６（ｂ）に示すように、障子１が開いた状態のときにはピン３７は長孔３８の左端の位置にあって、ピン３７にピンストッパー４０が係止している。無目１３には、障子１閉鎖時に横スライドバー３２が右方向に引っ張られたときに、ピンストッパー４０のピン３７との係止を解除するための解除ブロック４２と、連結プレート３９を所定の位置で停止させるためのストッパー４３を設けてある。
【００２６】
無目１３と竪枠２とのコーナー部には、図４に示すように、コーナードライブ４４が設けてある。コーナードライブ４４は、Ｌ型に曲がった筒状のガイド部材４４ａと、ガイド部材４４ａ内に挿通した摺動部材４４ｂとを有するもので、摺動部材４４ｂがガイド部材４４ａにガイドされた状態で摺動することで、押し引き力を直角に伝達できるものである。摺動部材４４ｂの無目１３側端部は、上述の連結プレート３９に連結してあり、摺動部材４４ｂの竪枠２側端部には障子閉鎖アーム４５が取付けてある。コーナードライブ４４と連結プレート３９とで連動部材５０を構成している。障子閉鎖アーム４５は、略Ｌ型の縦長の棒状の部材となっており、竪枠２の内周側面に添うように設置してある。
ハンドル１６を閉じ側に操作し、横スライドバー３２が右方向に引っ張られると、連動部材５０を介して障子閉鎖アーム４５が下方に移動し、図５に示すように、障子閉鎖アーム４５がスライダー２２を押し下げることで障子１が閉鎖する。障子１は風の状況に応じて自然に開閉しているが、このような障子閉鎖アーム４５によれば障子１がどの状態であっても閉鎖できる。
図５に示すように、竪枠２のレール２６の下部には、障子１が閉鎖したときにスライダー２２をバネ４６の力で上方に付勢する付勢部材４７を有し、ハンドル１６が開き側に操作され、障子閉鎖アーム４５が上方に移動すると、スライダー２２が付勢部材４７により押し上げられることで障子１が開く。
図４〜６は、左側の障子１を開閉・ロックする機構を示しているが、右側の障子１についても同様に構成してある。左側の障子１用の横スライドバー３２と右側の障子１用の横スライドバー３２とは、方立１４を跨いで繋ぎ材により連結してあり、左右の障子１，１の開閉・ロックを一つのハンドル１６で同時に行うことができる。
【００２７】
障子１を閉鎖・ロックするときの各部の作用を、図７に即してより詳細に説明する。ハンドル１６が閉鎖側に操作されると、図７（ａ）に示すように、横スライドバー３２が右方向に引っ張られ、このときピンストッパー４０がピン３７に係止しているため、連結プレート３９を介してコーナードライブ４４の摺動部材４４ｂも一緒に引っ張られ、それに伴って障子閉鎖アーム４５がスライダー２２を押し下げるため障子１が室内側に引き寄せられる。その後、障子１が閉まり切る手前で、図７（ｂ）に示すように、ピンストッパー４０が解除ブロック４２に当接し、障子１が閉め切ると同時に、図７（ｃ）に示すように、連結プレート３９がストッパー４３に当接して移動が阻止されると共にピンストッパー４０が解除ブロック４２に乗り上げてピン３７との係止が解除される。その後も続けてハンドル１６が操作されることで、横スライドバー３２はさらに右方向に引っ張られ、図７（ｄ）に示すように、ピン３７が長孔３８内を移動することで、連結プレート３９とそれに連結された障子閉鎖アーム４５は移動せずに、横スライドバー３２とこれに固定したロックピン４８のみが右方向にスライドし、この間にロックピン４８がロック受け３６に係合して障子１がロックされる。
障子１を開放するときには上記とは逆の動作になり、ロックピン４８がロック受け３６から外れるまで横スライドバー３２のみが左方向にスライドし、途中でピンストッパー４０がピン３７と係止する状態に復帰し、連結プレート３９とコーナードライブ４４を介して障子閉鎖アーム４５が上方に押し上げられ、付勢部材４７の作用により障子１が開く。
【００２８】
以上に述べたように本自然換気窓は、障子１の閉鎖とロックをハンドル１６の１アクションで行うことができる。しかも、横スライドバー３２が連動部材５０の連結プレート３９に対して無目１３の長手方向にスライド可能に取付けてあり、ピンストッパー４０と解除ブロック４２及びストッパー４３の作用により、障子１が閉め切ったところで障子閉鎖アーム４５と連結プレート３９とを停止させた後、横スライドバー３２とこれに固定したロックピン４８のみがスライドしてロックが完了するようにしたので、障子１の支持機構や開閉機構等に無理な力が掛かることなく、且つ障子１のロックを安定して行うことができる。ロックの解除と障子１の開放も、ハンドル１６の１アクションで行うことができる。また、障子閉鎖アーム４５を竪枠２に添うように設け、障子閉鎖アーム４５でスライダー２２を竪枠２に沿って押し下げることで障子１を引寄せるようにしたので、障子閉鎖アーム４５が目立たない上、障子１の下框１８と無目１３間に障子１を引き寄せるアームを別途設けないため意匠性を向上できると共に障子１を大きく開くことができ、しかも障子１がいかなる開閉状態にあるときでも障子１を閉鎖できる。
【００２９】
図１１〜１８は、本発明の窓の第２実施形態を示している。この窓は、図１１に示すように、上枠１１と下枠（図示省略）と左右の竪枠２，２とを四周枠組みし、左右の竪枠２，２間に無目１３を架設して窓枠が構成され、無目１３と下枠間はガラスパネル１５を嵌め込んで嵌め殺し窓としてあり、上枠１１と無目１３間は障子１を開閉自在に設けた自然換気窓としてある。右側の竪枠２の下部には、障子１を開閉操作するためのハンドル１６が設けてある。
【００３０】
障子１は、図１１，１２に示すように、上框１７と下框１８と左右の竪框１９，１９を四周框組みし、その内側にガラスパネル２０を嵌め込んで構成され、左右の竪框１９，１９の中間高さよりも上方に偏心した位置で水平軸５１により竪枠２，２に支持してある。上框１７は、内部の室内側寄りにバランスウエイト２１が設けてあり、無風状態で障子１は図１２に示すように上框１７側が室内側に倒れるように開き、室外側からの風を受けると障子１はその風圧に応じて閉まるようになっている。竪框１９の外周側面の下部には、レール５２が竪框１９の長手方向に沿って設けてある。下框１８の下面には、図１１に示すように、ロック受け３６が設けてある。
障子１は、水平軸５１よりも下方位置で竪枠２とアーム５３で連結してある。アーム５３は、図１２に示すように、メインアーム３とサブアーム４の２本のアームで構成されている。メインアーム３は、一端が竪框１９のレール５２に軸５４でスライド自在且つ回動自在に連結され、他端は竪枠２に固定した軸５５に回動自在に連結してある。メインアーム３は、他端部の室外側に後述するピン５６と係合する被係合部５７が山形に盛り上がる形で設けてある。サブアーム４は、一端がメインアーム３の中間部に軸５８で回動自在に連結され、他端が竪枠２内周側面に長手方向に沿って設けたレール５９に案内したスライダー６０に、軸６１で回動自在に連結してある。スライダー６０には、室外側に突出した突部６０ａを有している。レール５９の下の竪枠２内周側面にはクッション７０が設けてあり、図１２に示す自然換気状態において、障子１が強い風を受けて勢いよく閉まると、スライダー６０がクッション７０に当接することで、障子１が閉まるときの衝撃が緩和される。
【００３１】
竪枠２内周側面には、図１２と図１５（ａ）に示すように、メインアーム３他端の軸５５よりも室外側にレール６２が長手方向に沿って設けてあり、該レール６２に案内して縦スライドバー６３が上下スライド可能に設けてある。縦スライドバー６３の上部にはピン５６が内周側に突出して設けてあり、障子１が開いた状態でピン５６は、メインアーム３の被係合部５７の上側の斜面５７ａの上方に位置しており、ピン５６により障子１の開く限界が規定される。縦スライドバー６３の下部は、連結板６４ａで無目１３の上下に跨って竪枠２に沿って設けた連動棒６５と連結してある。連動棒６５は、縦スライドバー６３を案内するレール６２とスライダー６０を案内するレール５９の間に位置しており、連動棒６５には障子固定ブロック６６が取付けてある。連動棒６５の下部は、無目１３よりも下方の竪枠２内周側面に上下スライド可能に設けた縦スライドバー３１と連結板６４ｂで連結されている。この縦スライドバー３１は、ハンドル１６の操作によって上下にスライドするものであり、障子１を閉める際には、図１１中の矢印に示すようにハンドル１６を上向きに回動させ、このとき縦スライドバー３１は下方にスライドし、連動棒６５及び無目１３上方の縦スライドバー６３も、連結板６４ａ，６４ｂで連結してあるためにこれと連動して下方にスライドする。障子１を開ける際には、ハンドル１６を下向きに回動させ、すると縦スライドバー３１，６３と連動棒６５は上方にスライドする。
【００３２】
無目１３の上面には、図１１，１６に示すように、横スライドバー３２が長手方向にスライド自在に設けてあり、横スライドバー３２には障子のロック受け３６に係脱するロックピン４８が上方に突出して設けてある。横スライドバー３２は、無目１３と竪枠２とのコーナー部に設置したコーナードライブ３３により縦スライドバー３１と連結してあり、障子１を閉めるためにハンドル１６を上向きに回動し、縦スライドバー３１が下方にスライドすると、横スライドバー３２は縦スライドバー３１の動きに連動して右方向にスライドし、ロックピン４８が障子のロック受け３６に係合して障子１がロックされる。逆にハンドル１６を下向きに回動すると、縦スライドバー３１が上方にスライドするのに連動して横スライドバー３２が左方向にスライドし、ロックピン４８が障子のロック受け３６から外れる。
【００３３】
次に、障子１を閉鎖しロックするときの各部の動きを説明する。障子１が開いた状態でハンドル１６を障子閉鎖側（上向き）に操作すると、図１７（ａ）に示すように、連動棒６５及び縦スライドバー６３が下方にスライドし、それに伴ってピン５６がメインアーム３の被係合部５７の上側の斜面５７ａに係合してメインアーム３を押し下げるため、メインアーム３は竪枠２側の軸５５を支点に下向きに回動し、これにより障子１が徐々に閉まる。また、障子１が開いた状態では、図１６（ａ）に示すように、ロックピン４８が障子１のロック受け３６よりも左側に離れた位置にあり、ハンドル１６が障子閉鎖側に操作されると、コーナードライブ３３を介して縦スライドバー３１の動きが横スライドバー３２に伝わるため、障子１が閉まるにつれてロックピン４８が右方向にスライドする。図１７（ｂ）に示すように、ピン５６がメインアーム３の被係合部５７の頂点５７ｃに達すると障子１はほぼ閉まり切り、このときに被係合部５７の下側の斜面５７ｂは竪枠２長手方向と平行になる。この時点では、図１６（ｂ）に示すように、ロックピン４８はまだ障子１のロック受け３６の左側に離れた位置にある。さらにハンドル１６を障子閉鎖側に操作すると、図１７（ｃ）に示すように、ピン５６が竪枠２長手方向と平行になったメインアーム３の被係合部５７の下側の斜面５７ｂに係合しつつ下降するため、メインアーム３には障子閉鎖側に回動する力が働かず、尚且つ障子開放側への回動がピン５６により規制される。そうしてピン５６が竪枠２長手方向と平行になったメインアーム３の被係合部５７ｂと係合しつつ下降する間に、図１６（ｃ）に示すようにロックピン４８が右方向にスライドして障子１のロック受け３６と係合し、これにより障子１の上下框１７，１８が上枠１１と無目１３に引き付けられ、障子１が閉鎖状態にロックされる。
以上に述べたように、本窓は障子１の閉鎖とロックをハンドル１６の１アクションで連続して行え、しかも障子１が閉まり切ってからロックが掛かるまでの間、ピン５６が竪枠２長手方向と平行になったメインアーム３の被係合部５７ｂに係合しつつ下降することで、障子１を閉状態に保持しつつ安定してロックすることができ、また障子１の上下框１７，１８を必要以上に上枠１１と無目１３に押付けることがなく、アーム５３やスライドバー３１，３２，６３等に無理な力が掛かることもない。さらに、このように障子１が閉め切るのとロックが掛かるのとの間に時間差を設けるため、第１実施形態のように横スライドバー３２のストロークを吸収する機構を設ける必要がないため、スライド部の機構を簡単にできる。
【００３４】
次に、障子１を開放するときの各部の動きを説明する。ハンドル１６を障子開放側（下向き）に操作すると、図１８（ａ）に示すように、縦スライドバー６３と連動棒６５が上方にスライドし、横スライドバー３２は左にスライドし、図１６（ｂ）に示すように、ロックピン４８が障子１のロック受け３６から外れ、障子１のロックが解除される。さらにハンドル１６を障子開放側に操作すると、図１８（ｂ）に示すように、縦スライドバー６３と連動棒６５が上方にスライドしてピン５６がメインアーム３の被係合部５７ｂから外れることでメインアーム３の障子閉鎖位置での規制が解除され、ピン５６が上昇するにつれて障子１は上框１７内に設けたバランスウエイト２１の重みによって開放する。その後さらにハンドル１６が障子開放側に操作されると、図１８（ｃ）に示すように、連動棒６５が上方にスライドして障子固定ブロック６６がスライダー６０の突部６０ａに当接することで、障子１が開放した状態に固定される。なお、障子１に室外側から風を受けている状態のときや、バランスウエイト２１を設けない場合には、スライダー６０が障子固定ブロック６６に押上げられることで障子１が開く。
以上に述べたように、本窓は障子１のロック解除と開放操作をハンドル１６の１アクションで連続的にスムーズに行うことができる。また、図１４と図１８（ｃ）に示すように、障子固定ブロック６６により障子１を開放した状態に保持しておくことができるため、排煙窓としても使用できる。ピン５６と障子固定ブロック６６との間に間隔があることで、図１２に示すように、障子１が所定の範囲で風圧により開閉する自然換気窓として機能する。
【００３５】
図１９は、本発明の窓の他の実施形態であって、外倒し窓に適用した例を示している。障子１は、下端部を水平軸６７で無目１３に連結してあり、ハンドルの操作により上下スライドする縦スライドバー６３にピン５６と障子固定ブロック６６とが設けられ、縦スライドバー６３が上方にスライドするとピン５６がメインアーム３を押上げて障子１を閉鎖し、縦スライドバー６３が下方にスライドすると障子固定ブロック６６がサブアーム４他端のスライダー６０を押し下げて障子１が開く。また上枠１１には、ロックピン４８を取付けた横スライドバー３２が縦スライドバー６３と連動するように設けてあり、障子１の開閉に連動してロックピン４８が障子１のロック受け３６に係脱する。
【００３６】
図２０は、本発明の窓の他の実施形態であって、縦軸回転窓に適用した例を示している。障子１は、上下框を横枠６８に垂直軸６９で支持してあり、ハンドルの操作により横枠６８に沿ってスライドする横スライドバー３２にピン５６と障子固定ブロック６６とが設けられ、横スライドバー３２が左にスライドするとピン５６がメインアーム３を押して障子１を閉鎖し、横スライドバー３２が右にスライドすると障子固定ブロック６６がサブアーム４他端のスライダー６０を押して障子１が開く。また竪枠２には、ロックピン４８を取付けた縦スライドバー６３が横スライドバー３２と連動するように設けてあり、障子１の開閉に連動してロックピン４８が障子のロック受け３６に係脱する。
【００３７】
本発明は以上に述べた実施形態に限定されない。障子は、ガラスを嵌め込んだものに限らず、金属板等で形成した箱状のパネル等とすることもでき、障子を竪枠に支持するアーム３，４の構成についても適宜変更できる。また障子の窓枠への支持形態は特に限定されず、例えば縦軸回転窓や縦辷り出し窓に適用することも可能であり、障子閉鎖部材やスライド部の設け方は、障子の支持形態に応じて適宜変更される。また障子は、必ずしも風圧により自然に開閉するものでなくてもよい。竪枠には方立が含まれる。本発明の窓は、実施形態のものとは上下が逆のもの、すなわち障子が室外側に倒れるように開くものとすることもでき、その場合は横スライドバー３２を上枠１１に沿ってスライド自在に設け、障子閉鎖アーム４５はスライダー２２を押し上げて障子を閉鎖するようにする。第１実施形態に関して、連動部材５０と横スライドバー３２とを相対的にスライド可能とする機構は適宜変更可能であり、例えばピン３７の被係合部を長孔３８ではなく切り欠き状に形成したり、連結プレート３９側にピン３７を設け横スライドバー３２側にピン３７が係合する長孔等を設けることもでき、さらにはピン３７を連結プレート３９に出没可能に設け、横スライドバー３２が所定の位置までスライドしたときにピン３７が横スライドバー３２に係脱するものであってもよい。ストッパー４３は、省略することもできる。第２実施形態に関して、サブアーム４を省略すると共に縦スライドバー６３に障子固定ブロック６６を取付け、障子固定ブロック６６でメインアーム３を押上げることで障子１を開放保持することもできる。また、例えばメインアーム３に被係合部５７を長孔状に形成し、縦スライドバー６３に取付けたピン５６をメインアーム３の長孔状の被係合部５７に係合することにより、障子の閉鎖と開放を一つのピン５６で行えるようにすることもできる。また何れの実施形態についても、横スライドバー３２や縦スライドバー３１をモーター等によりスライド駆動し、ハンドル１６の代わりにモーター等を操作するためのスイッチを設けることもできる。
【符号の説明】
【００３８】
１  障子
２  竪枠
３  メインアーム（アーム）
４  サブアーム
５  障子の回転軸
１３  無目（横枠）
１４  方立（竪枠）
１６  ハンドル（操作部）
１９  竪框
３２  横スライドバー（スライドバー、スライド部）
３６  ロック受け
３７  ピン（係合部）
３８  長孔
３９  連結プレート
４０  ピンストッパー（規制部材）
４２  解除ブロック（解除部材）
４３  ストッパー
４４  コーナードライブ
４５  障子閉鎖アーム（障子閉鎖部材）
４８  ロックピン（ロック部材）
４９  スライド部
５０  連動部材
５３  アーム
５６  ピン（障子閉鎖部材）
５７  被係合部
６６  障子固定ブロック（障子固定部材）
【図１】
2010270587.tif 000003
【図２】
2010270587.tif 000004
【図３】
2010270587.tif 000005
【図４】
2010270587.tif 000006
【図５】
2010270587.tif 000007
【図６】
2010270587.tif 000008
【図７】
2010270587.tif 000009
【図８】
2010270587.tif 000010
【図９】
2010270587.tif 000011
【図１０】
2010270587.tif 000012
【図１１】
2010270587.tif 000013
【図１２】
2010270587.tif 000014
【図１３】
2010270587.tif 000015
【図１４】
2010270587.tif 000016
【図１５】
2010270587.tif 000017
【図１６】
2010270587.tif 000018
【図１７】
2010270587.tif 000019
【図１８】
2010270587.tif 000020
【図１９】
2010270587.tif 000021
【図２０】
2010270587.tif 000022